(57)【要約】      （修正有）【課題】  ファイル管理情報の信頼性を高めた記録再生システム及びディスクフォーマット方法を提供する。【解決手段】  フォーマットを実行するたびにファイル管理情報を読み取ってその領域の劣化状態をチエックし、劣化している場合に限りプリギャップの長さを変更してファイル管理情報を記録する位置を変更し、記録膜が劣化していない領域を新たにファイル管理情報を記録する領域として利用する。まずフォーマットしたトラックからプリギャップの後に記録されているファイル管理情報を読み出し（Ｓ４）、読み出したファイル管理情報が正しい情報か否かを判定する（Ｓ５）。ステップＳ５によりエラーが発生した場合は（Ｓ５でＹＥＳのルート）、ステップＳ２に戻り、再びプリギャップ長（Ｌ）に更に１５０ブロックを設定する。【選択図】  図３
2006147097.tif 000002
【特許請求の範囲】
【請求項１】
システム全体を制御するホスト装置と、書き換え可能な相変化記録媒体にレーザ光を照射してデータの読み出し、又は書き込みを行う光ディスク装置と、を備えた記録再生システムにおいて、
前記ホスト装置は、前記相変化記録媒体の論理フォーマット仕様をＵＤＦ仕様により行う場合、各トラックの先頭部に設けられたプリギャップ領域の後に記録されたファイル管理情報を再生するに際してエラーが生じた場合、前記プリギャップ領域の長さを変更して再度、前記ＵＤＦ仕様によるフォーマットを行うように制御することを特徴とする記録再生システム。
【請求項２】
前記ホスト装置は、前記プリギャップ領域の長さを変更する場合、少なくとも前記ファイル管理情報が記録された領域より長くなるように前記プリギャップ領域を増加させることを特徴とする請求項１に記載の記録再生システム。
【請求項３】
前記プリギャップ領域の長さを変更する単位は、所定のブロック単位であることを特徴とする請求項１または２に記載の記録再生システム。
【請求項４】
書き換え可能な相変化記録媒体の論理フォーマット仕様をＵＤＦ仕様により行うディスクフォーマット方法において、
前記相変化記録媒体の各トラックの先頭部に設けられたプリギャップ領域の後に記録されたファイル管理情報を再生するに際してエラーが生じた場合、前記プリギャップ領域の長さを変更して再度、前記ＵＤＦ仕様によるフォーマットを行うことを特徴とするディスクフォーマット方法。
【請求項５】
前記プリギャップ領域の長さを変更する場合、少なくとも前記ファイル管理情報が記録された領域より長くなるように前記プリギャップ領域を増加させることを特徴とする請求項４に記載のディスクフォーマット方法。
【請求項６】
前記プリギャップ領域の長さを変更する単位は、所定のブロック単位であることを特徴とする請求項４または５に記載のディスクフォーマット方法。
【請求項７】
請求項４乃至６の何れか一項に記載のディスクフォーマット方法をコンピュータが制御可能にプログラミングしたことを特徴とするディスクフォーマットプログラム。
【請求項８】
請求項７に記載のディスクフォーマットプログラムをコンピュータが読み取り可能な形式で記録したことを特徴とする記録媒体。
【発明の詳細な説明】
【技術分野】
【０００１】
本発明は、記録再生システム及びディスクフォーマット方法に関し、さらに詳しくは、論理フォーマット仕様がＵＤＦ仕様により記録された相変化記録媒体のファイル管理情報を正確に再生するためのフォーマット方法に関するものである。
【背景技術】
【０００２】
図５は光ディスクのセッションの構成を示す図である。セッションはＬＩＡ（Lead-in Area）３５とＬＯＡ（Lead-out Area）３７に挟まれたＰＡ（Program Area）３６からなる単位により構成されている。ＰＡ３６は１つ以上のトラックよりなり、各トラックの先頭部にはＴＤＢ（Track Descriptor Block）、ＲＯ（Run Out）ブロック、リンクブロック、ＲＩ（Run In）ブロック等よりなるプリギャップと呼ばれる領域が通常１５０ブロック設けられている（図６参照）。また図７のようにＴＤＢのユーザデータフィールドのＴＤＵ（Track Descriptor Units）にはトラックの記録方法が記録されている。そしてトラックの記録方法は、「Uninterrupted Written Data Track」と「Incremental Written Data Track」と「Uninterrupted Written Audio Track」がある。「Incremental Written Data Track」はパケットライトとも呼ばれる。このようなパケット単位での情報記録方式としては、一定のサイズのパケット毎に記録される固定パケット（Fixed Packet：ＦＰ）と、データのサイズにより異なるパケットサイズで記録される可変パケット（Valuable Packet：ＶＰ）との２種類がある。
ＦＰでは、データは６４Ｋバイト（３２ブロック）のパケット単位で追記される。またＦＰで記録されるファイルの管理方法として、ＵＤＦ(universal disk format)がある。このＵＤＦでは、プリギャップの後にファイル管理情報が記録される領域があり、その後に実データが記録される（図４参照）。このファイル管理情報は、データの記録の度に全てが書き換えられるため、ＤＯＷ（ダイレクト・オーバー・ライト）回数が最も多い領域である。即ち、相変化記録膜は、ＤＯＷにより劣化し、特に記録パワーが高い場合は劣化が顕著となる。
また、特許文献１には、制御情報の最初の位置にこの制御情報の書替回数を記録する制御情報書替回数記録部が配置される。この制御情報書替回数が所定回数（たとえば安全を見て１万回）を越えると、ＡＶデータエリア内の制御情報の記録位置が自動的に変更され、ＡＶデータエリア内の制御情報の記録位置はアンカーポインタに記録されている。このように制御情報の記録位置変更にともなってアンカーポインタの情報も自動的に変更するようにして制御情報の信頼性を高める技術について開示されている。
【特許文献１】特許第３３８９０８８号
【発明の開示】
【発明が解決しようとする課題】
【０００３】
しかし、従来のフォーマット方法では、ファイル管理情報を記録する領域の相変化記録膜の劣化が生じると記録・再生が不能となり、ディスクを再度フォーマットしても、ファイル管理情報記録領域はプリギャップの後の同じ特定の位置に配置されるので、データ記録領域が劣化していなくて記録再生可能でも、ファイル管理情報が記録再生できなくなり、その結果、ディスクが利用できなくなるといった問題がある。
また、特許文献１に開示されている従来技術は、書き換え回数情報が所定回数を超えるとき、制御情報の記録位置を変更できる発明である。即ち、書き換え回数の突出する管理領域の制御情報の信頼性低下を記録位置の変更により解消する方法であり、書き換え回数を管理することにより位置を変更するため、確実に劣化しているとは限らず劣化位置を特定する信頼性が低い。
本発明は、かかる課題に鑑み、フォーマットを実行するたびにファイル管理情報を読み取ってその領域の劣化状態をチエックし、劣化している場合に限りプリギャップの長さを変更してファイル管理情報を記録する位置を変更し、記録膜が劣化していない領域を新たにファイル管理情報を記録する領域として利用することにより、ファイル管理情報の信頼性を高めた記録再生システム及びディスクフォーマット方法を提供することを目的とする。
【課題を解決するための手段】
【０００４】
本発明はかかる課題を解決するために、請求項１は、システム全体を制御するホスト装置と、書き換え可能な相変化記録媒体にレーザ光を照射してデータの読み出し、又は書き込みを行う光ディスク装置と、を備えた記録再生システムにおいて、前記ホスト装置は、前記相変化記録媒体の論理フォーマット仕様をＵＤＦ仕様により行う場合、各トラックの先頭部に設けられたプリギャップ領域の後に記録されたファイル管理情報を再生するに際してエラーが生じた場合、前記プリギャップ領域の長さを変更して再度、前記ＵＤＦ仕様によるフォーマットを行うように制御することを特徴とする。
本発明は、フォーマットを実行するときに、各トラックの先頭部に設けられたプリギャップ領域の後に記録されたファイル管理情報が記録された領域が劣化しているか否かを検出し、劣化していなければ、プリギャップ領域を変更しないでフォーマットを続行し、劣化していればプリギャップ領域の長さを変更して再度、フォーマットを続行するものである。これにより、ファイル管理情報が記録された領域の劣化に応じてその位置を変更して、常に正確にファイル管理情報を再生できるようにしたものである。
請求項２は、前記ホスト装置は、前記プリギャップ領域の長さを変更する場合、少なくとも前記ファイル管理情報が記録された領域より長くなるように前記プリギャップ領域を増加させることを特徴とする。
ファイル管理情報が記録されている領域が劣化している場合、プリギャップ領域の長さを変更して位置を変更するが、その長さが元のファイル管理情報が記録されている領域より短いと、劣化位置を避けたことにならない。そこで本発明では、必ず元のファイル管理情報が記録されている領域より長くなるように、プリギャップ領域の長さを変更するものである。
請求項３は、前記プリギャップ領域の長さを変更する単位は、所定のブロック単位であることを特徴とする。
請求項２の条件を満たせばどのような長さでも構わないが、ホスト装置が制御する場合、ブロック単位で行う方が制御を容易とすることができる。
【０００５】
請求項４は、書き換え可能な相変化記録媒体の論理フォーマット仕様をＵＤＦ仕様により行うディスクフォーマット方法において、前記相変化記録媒体の各トラックの先頭部に設けられたプリギャップ領域の後に記録されたファイル管理情報を再生するに際してエラーが生じた場合、前記プリギャップ領域の長さを変更して再度、前記ＵＤＦ仕様によるフォーマットを行うことを特徴とする。
本発明は請求項１と同様の作用効果を奏する。
請求項５は、前記プリギャップ領域の長さを所定のブロック単位に増加させることを特徴とする。
本発明は請求項２と同様の作用効果を奏する。
請求項６は、前記ブロック単位は１５０ブロック単位であることを特徴とする。
本発明は請求項３と同様の作用効果を奏する。
請求項７は、請求項４乃至６の何れか一項に記載のディスクフォーマット方法をコンピュータが制御可能にプログラミングしたことを特徴とする。
請求項８は、請求項７に記載のディスクフォーマットプログラムをコンピュータが読み取り可能な形式で記録したことを特徴とする。
【発明の効果】
【０００６】
請求項１、４の発明によれば、相変化記録媒体の論理フォーマット仕様をＵＤＦ仕様により行う際、各トラックの先頭部に設けられたプリギャップ領域の後に記録されたファイル管理情報を再生してエラーが生じた場合、プリギャップ領域の長さを変更して再びＵＤＦ仕様によるフォーマットを行うように制御するので、ファイル管理情報を記録した領域の劣化状態を正確に把握することができ、ファイル管理情報の信頼性を高めることができる。
また請求項２、５では、少なくともファイル管理情報が記録された領域より長くなるようにプリギャップ領域を増加させるので、必ず劣化した記録領域を避けた位置にファイル管理情報を記録することができる。
また請求項３、６では、プリギャップ領域の長さを変更する単位は、所定のブロック単位であるので、ホスト装置の制御を容易とすることができる。
また請求項７では、本発明のディスクフォーマット方法をコンピュータが制御可能なＯＳに従ってプログラミングすることにより、そのＯＳを備えたコンピュータであれば同じ処理方法により制御することができる。
また請求項８では、ディスクフォーマットプログラムをコンピュータが読み取り可能な形式で記録媒体に記録することにより、この記録媒体を持ち運ぶことにより何処でもプログラムを稼動することができる。
【発明を実施するための最良の形態】
【０００７】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の実施形態に係る記録再生装置である光ディスク装置（ドライブ）の構成例を示す図である。尚、記録媒体１として、ＣＤ−ＲＯＭ等の再生専用光ディスクの他に、一度だけ書込み可能でＣＤフォーマットに準拠した記録可能なＣＤ−Ｒ（CD−Recordable）である追記型の光ディスクや、ＣＤフォーマットに準拠した記録可能なＣＤ−ＲＷ（CD−ReWritable）である書換え型の光ディスクを対象とする光ディスク装置への適用例を示す。
この光ディスク装置２１は、情報を記録した記録媒体１と、この記録媒体１を回転駆動するスピンドルモータ２と、スピンドルモータ２を駆動するモータドライバ３と、線速度一定（ＣＬＶ）又は回転数一定（ＣＡＶ）となるように制御するサーボ手段４と、後述する半導体レーザ、光学系、フォーカシングアクチュエータ、トラッキングアクチュエータ、受光器、ポジションセンサ等を内蔵しており、レーザ光を光ディスク１の記録面に照射する光ピックアップ５と、データ再生時に光ピックアップ５で得られた再生信号を増幅してイコライザ処理や２値化（デジタル化）処理するリードアンプ６と、リードアンプ６の信号をＥＦＭ復調するＣＤデコーダ７と、デインターリーブとエラー訂正の処理後のデータの信頼性を高めるためのエラー訂正処理を行うＣＤ−ＲＯＭデコーダ８と、ＣＤ−ＲＯＭデコーダ８で処理したデータを一旦バッファＲＡＭ１０に蓄積するバッファマネージャ９と、バッファＲＡＭ１０と、セクタデータとして揃ったときにホスト側へ一気に転送するＡＴＡＰＩやＳＣＳＩといったインターフェース１１と、ＣＤデコーダ７から出力されるデータからアナログのオーディオ信号を取り出すＤ／Ａコンバータ１２と、ＡＴＩＰ信号の情報を取り出すとともに、ＡＴＩＰエラーを検出してＡＴＩＰ信号の検出エラー率を計測するＡＴＩＰデコーダ１３と、エラー訂正コードの付加やインターリーブ（並べ替え）を行った後、ＥＦＭ変調するＣＤエンコーダ１４と、ＣＤ−ＲＯＭエンコーダ１５と、光ピックアップ５を制御するレーザコントロール回路１６と、上述の各部の動作を制御するためのＣＰＵ１７、ＲＯＭ１８及びＲＡＭ１９からなるマイクロコンピュータ２０と、を備えて構成される。
【０００８】
図１を参照して光ディスク装置２１の概略構成及び動作について説明する。まず、ＣＤ系ディスクではディスク基板上の色素材料或いは相変化材料にデータで変調されたレーザ光を照射してピットあるいはマークを形成し、これらにレーザ光を当てて、その反射光の変化でデータを読み取る。このデータ列はレコードのようにディスク基板上に螺旋状に並べられている。この螺旋状に配された線をトラックと呼んでおり、隣り合うトラック間の距離は１．６μｍである。
このような光ディスク１は駆動手段としてのスピンドルモータ２によって回転駆動される。スピンドルモータ２はモータドライバ３とサーボ手段４とによって線速度一定（ＣＬＶ）又は回転数一定（ＣＡＶ）となるように制御される。その線速度は段階的に変更が可能である。光ピックアップ５は後述する半導体レーザ、光学系、フォーカシングアクチュエータ、トラッキングアクチュエータ、受光器、ポジションセンサ等を内蔵しており、レーザ光を光ディスク１の記録面に照射する。
【０００９】
光ピックアップ５は図示しないシークモータによりスレッジ方向（ディスク半径方向）に移動可能とされている。これらのフォーカシングアクチュエータ、トラッキングアクチュエータ、シークモータは受光器やポジションセンサから得られる信号に基づきモータドライバ３とサーボ手段４とによってレーザスポットを光ディスク１上の目的の場所に位置させるように制御する。
データ再生時には、光ピックアップ５で得られた再生信号をリードアンプ６で増幅してイコライザ処理や２値化（デジタル化）処理した後、ＣＤデコーダ７に入力してＥＦＭ復調する。即ち、ＥＦＭ信号は、光学的に再生又は記録しやすいように８ビットデータを１４ビットデータに変調したデータであり、ＥＦＭ復調されたデータはデインターリーブ（並べ替え直し処理）とエラー訂正の処理を行う。さらに、そのデインターリーブとエラー訂正の処理後のデータをＣＤ−ＲＯＭデコーダ８に入力してデータの信頼性を高めるためのエラー訂正処理を行う。
その後、ＣＤ−ＲＯＭデコーダ８で処理したデータをバッファマネージャ９によって一旦バッファＲＡＭ１０に蓄積し、セクタデータとして揃ったときにＡＴＡＰＩやＳＣＳＩといったインターフェース１１によってホスト側へ一気に転送する。また、音楽データの場合、ＣＤデコーダ７から出力されるデータをＤ／Ａコンバータ１２に入力してアナログのオーディオ信号を取り出す。
【００１０】
一方、データ記録時には、ＡＴＡＰＩやＳＣＳＩといったインターフェース１１によってホストから転送されたデータを受信すると、そのデータをバッファマネージャ９によって一旦バッファＲＡＭ１０に蓄積する。バッファＲＡＭ１０に或る程度のデータが蓄積されたときに記録を開始するが、その前にレーザスポットを書き込み開始地点に位置させる。その書き込み開始地点はトラック（プリグルーブ）の蛇行によって予め光ディスク１に刻まれているウォブル信号であるＡＴＩＰ（Absolute Time In Pre-groove）信号によって求められる。ＡＴＩＰ信号は光ディスク上の絶対番地を示す時間情報であり、ＡＴＩＰデコーダ１３によってＡＴＩＰ信号の情報を取り出すとともに、ＡＴＩＰエラーを検出してＡＴＩＰ信号の検出エラー率を計測する。
また、ＡＴＩＰデコーダ１３が生成する同期信号はＣＤエンコーダ１４に入力されて正確な位置でのデータの書き出しを可能にしている。またバッファＲＡＭ１０のデータは、ＣＤ−ＲＯＭエンコーダ１５やＣＤエンコーダ１４でエラー訂正コードの付加やインターリーブ（並べ替え）を行った後、ＥＦＭ変調され、光ピックアップ５を介して光ディスク１に記録される。
このような光ディスク装置２１は、上述の各部の動作を制御するためのＣＰＵ１７、ＲＯＭ１８及びＲＡＭ１９からなるマイクロコンピュータ２０を備えている。
光ディスク１をスピンドルモータ２からなる駆動手段により回転駆動し、記録再生用光ピックアップ５により半導体レーザからなる光源を駆動して、この半導体レーザから図示しない光学系を介して光ディスク１にレーザ光を照射することにより、この光ディスク１の記録層に変化を生じさせ、光ディスクからの反射光を光ピックアップ５で受光して光ディスク１に対する情報の記録や再生を行う。光ピックアップ５の最適記録パワーはレーザコントロール回路１６により設定される。
【００１１】
図２は本発明の記録再生システムのブロック図である。同じ構成要素には同じ参照番号を付して説明する。この記録再生システム２３は、システム全体を制御するホストＰＣ（ホスト装置）２２と、書き換え可能な相変化記録媒体にレーザ光を照射してデータの読み出し、又は書き込みを行う光ディスク装置２１と、を備えて構成される。そして当該記録再生システム２３においてホストＰＣ２２による制御の下に活用される。当該記録再生システム２３におけるホストＰＣ２２は、主制御装置２４、インターフェース２５、記録装置（ＨＤＤ）２６、入力装置２７及び表示装置２８などを備えている。主制御装置２４は、マイクロコンピュータ、メインメモリ（何れも不図示）などを含んで構成され、ホスト全体を制御する。インターフェース２５は、光ディスク装置２１との双方向の通信インターフェースであり、ＡＴＡＰＩ及びＳＣＳＩ等の標準インターフェースに準拠している。インターフェース２５は情報記録装置２１のインターフェース１１と接続されている。なお、各インターフェース１１、２５間の接続形態は、通信ケーブル（例えばＳＣＳＩケーブル）などの通信線を用いたケーブル接続だけでなく、赤外線などを利用したワイヤレス接続であっても良い。
記録装置（ＨＤＤ）２６には、主制御装置２４のマイクロコンピュータで解読可能なコードで記述されたプログラムが格納されている。なお、ホストＰＣ２２の駆動電源がオン状態になると、上記プログラムは主制御装置２４のメインメモリにロードされる。表示装置２８は、例えばＣＲＴ、液晶ディスプレイ（ＬＣＤ）及びプラズマディスプレイパネル（ＰＤＰ）などの表示部（図示省略）を備え、主制御装置２４からの各種情報を表示する。入力装置２７は、例えばキーボード、マウス、その他のポインティングデバイスなどのうち少なくとも１つの入力媒体（図示省略）を備え、ユーザから入力された各種情報を主制御装置２４に通知する。なお、入力媒体からの情報はワイヤレス方式で入力されても良い。また、表示装置２８と入力装置２７とが一体化したものとして、例えばタッチパネル付きＣＲＴなどがある。
また、ホストＰＣ２２はオペレーティングシステム（以下「ＯＳ」という）を搭載している。そして、ホストＰＣ２２を構成する全てのデバイスはＯＳによって管理されているものとする。
【００１２】
図３は本発明のフォーマット方法を説明するフローチャートである。まずプリギャップ長（Ｌ）を０にクリアする（Ｓ１）。そしてプリギャップ長（Ｌ）に更に１５０ブロックを設定する（Ｓ２）。この時点ではＬ＝０なのでプリギャップ長（Ｌ）は１５０ブロックである。このプリギャップ長（Ｌ）は通常設定されるブロック数である。次に相変化記録媒体の論理フォーマット仕様をＵＤＦ使用によりフォーマッティングする（Ｓ３）。このとき、前に記録されているファイル記録情報は全て消去されて、再び同じ位置にファイル管理情報が記録される。そしてフォーマットしたトラックからプリギャップの後に記録されているファイル管理情報を読み出し（Ｓ４）、読み出したファイル管理情報が正しい情報か否かを判定する。具体的には読み出しエラーが発生したか否かにより判定する（Ｓ５）。ステップＳ５によりエラーが発生しなければ（Ｓ５でＮＯのルート）、そこでフォーマット動作を終了する。ステップＳ５によりエラーが発生した場合は（Ｓ５でＹＥＳのルート）、ステップＳ２に戻り、再びプリギャップ長（Ｌ）に更に１５０ブロックを設定する。その結果、プリギャップ長（Ｌ）は３００ブロックとなる（Ｓ２）。そして、ステップＳ３により再度フォーマッティングすると、次に記録されるファイル管理情報の位置は３００ブロック後の位置となり、新しい領域にファイル管理情報が記録されることになる。それ以降は前の動作と同様である。本実施形態では、相変化記録媒体としてＣＤ−ＲＷを用いているが、相変化記録媒体がＤＶＤ＋ＲＷの場合も同様である。
【００１３】
図４は、フォーマッティング動作中にファイル管理情報の読み取りエラーが発生した場合のトラックＮの記録内容を説明するための模式図である。図４（ａ）は最初に設定されたプリギャップ長（１５０ブロック）のときのトラックＮの記録内容であり、先頭にプリギャップ３０、その次にファイル管理情報３１が記録され、その次に実データ３２が記録されている。そして、ファイル管理情報３１をフォーマッティング後に読み出した際、読み出しエラーが発生すると、図４（ｂ）のように、プリギャップ３０の後に１５０ブロックのプリギャップ３３が追加され、その後にファイル管理情報３１が記録される。これにより、図４（ａ）のファイル管理情報３１の位置が図４（ｂ）のように３００ブロック長の後の位置に移動することがわかる。即ち、ファイル管理情報３１が新しい位置に記録されたことになる。
以上のとおり本実施形態は、フォーマットを実行するときに、各トラックの先頭部に設けられたプリギャップ３０の後に記録されたファイル管理情報３１が記録された領域が劣化しているか否かを検出し、劣化していなければ、プリギャップ３０を変更しないでフォーマットを続行し、劣化していればプリギャップ３０の長さを変更して再度、フォーマットを続行するものである。これにより、ファイル管理情報３１が記録された領域の劣化に応じてその位置を変更して、常に正確にファイル管理情報３１を再生できるようにしたものである。そして、ファイル管理情報３１が記録されている領域が劣化している場合、プリギャップ３０の長さを変更して位置を変更するが、その長さが元のファイル管理情報が記録されている領域より短いと、劣化位置を避けたことにならないので、必ず元のファイル管理情報３１が記録されている領域より長くなるように、プリギャップの長さを変更するものである。この例では、プリギャップが１５０ブロックあればファイル管理情報３１が記録されている領域より長いと仮定した場合である。即ち、プリギャップの長さがファイル管理情報３１が記録されている領域より長い条件を満たせば、どのような長さでも構わないが、ホストＰＣ２２が制御する場合、ブロック単位で行う方が制御を容易とすることができる。
【図面の簡単な説明】
【００１４】
【図１】本発明の実施形態に係る記録再生装置である光ディスク装置（ドライブ）の構成例を示す図である。
【図２】本発明の記録再生システムのブロック図である。
【図３】本発明のフォーマット方法を説明するフローチャートである。
【図４】本発明のフォーマッティング動作中にファイル管理情報の読み取りエラーが発生した場合のトラックＮの記録内容を説明するための模式図である。
【図５】光ディスクのセッションの構成を示す図である。
【図６】光ディスクのトラックのデータ構成を示す図である。
【図７】光ディスクのＴＤＢユーザデータフィールドを示す図である。
【符号の説明】
【００１５】
２１  光ディスク装置、２２  ホストＰＣ（ホスト装置）、２３  記録再生システム、２４  主制御装置、２５  インターフェース、２６  記録装置（ＨＤＤ）、２７  入力装置、２８  表示装置
【図１】
2006147097.tif 000003
【図２】
2006147097.tif 000004
【図３】
2006147097.tif 000005
【図４】
2006147097.tif 000006
【図５】
2006147097.tif 000007
【図６】
2006147097.tif 000008
【図７】
2006147097.tif 000009